(57)【特許請求の範囲】
【請求項１】
クラウン部と、
ソール部と、
フェース部と、
を備え、
前記ソール部は、
第１薄肉部と、
前記第１薄肉部の周囲を囲むように、前記第１薄肉部のトゥ側からバック側を介して当該第１薄肉部のヒール側まで延び、前記第１薄肉部よりも肉厚が大きい、第１厚肉部と、
を備え、
前記第１厚肉部は、バック側の一点からフェース側に向かって、前記トゥ側及びヒール側へ、それぞれ広がるように形成されており、
前記第１厚肉部の幅は、少なくとも一部が、トゥ側よりもヒール側で大きくなっている、ゴルフクラブヘッド。
【請求項２】
前記第１厚肉部は、バック側に凸の略Ｕ字型に形成されている、請求項１に記載のゴルフクラブヘッド。
【請求項３】
前記ソール部は、前記第１薄肉部のフェース側に配置される第２厚肉部をさらに備えている、請求項１または２に記載のゴルフクラブヘッド。
【請求項４】
前記ソール部は、前記第１厚肉部のバック側に、当該第１厚肉部を囲むように配置され、当該第１厚肉部よりも肉厚が小さい第２薄肉部をさらに備えている、請求項１から３のいずれかに記載のゴルフクラブヘッド。
【請求項５】
前記ゴルフクラブヘッドは、ヘッド本体と、フェース用部材とを組立てることで構成され、
前記ヘッド本体は、前記クラウン部及び前記ソール部を備え、当該クラウン部及びソール部で囲まれた開口を有し、
前記フェース用部材は、ボールを打撃する板状の前記フェース部と、当該フェース部の周縁から延び、前記開口の端面と接合される周縁部と、を有するカップ状に形成されている、請求項１から４のいずれかに記載のゴルフクラブヘッド。
【発明の詳細な説明】
【技術分野】
【０００１】
本発明は、ゴルフクラブヘッドに関する。
【背景技術】
【０００２】
ウッド型のゴルフクラブヘッドは、従来から、多くの改良がなされてきており、飛距離を延ばすために種々の提案がなされている。例えば、特許文献１では、ソール部に厚肉部を設け、ヘッドの重心や左右の慣性モーメントを調整していた。
【先行技術文献】
【特許文献】
【０００３】
【特許文献１】特開２０１４−７９４４７号公報
【発明の概要】
【発明が解決しようとする課題】
【０００４】
しかしながら、ソール部の肉厚の調整により、重心位置や左右の慣性モーメントを調整することは容易ではなく、肉厚の調整により、特に、左右の慣性モーメントの向上が要望されていた。本発明は、上記問題を解決するためになされたものであり、ソール部の肉厚の調整により、左右の慣性モーメントを向上することができるゴルフクラブヘッドを提供することを目的とする。
【課題を解決するための手段】
【０００５】
本発明に係るゴルフクラブヘッドは、クラウン部と、ソール部と、フェース部と、を備え、前記ソール部は、第１薄肉部と、前記第１薄肉部の周囲を囲むように、前記第１薄肉部のトゥ側からバック側を介して当該第１厚肉部のヒール側まで延び、前記第１薄肉部よりも肉厚が大きい、第１厚肉部と、を備えている。
【０００６】
上記ゴルフクラブヘッドにおいて、前記第１厚肉部の幅は、少なくとも一部が、トゥ側よりもヒール側で大きくなるようにすることができる。
【０００７】
上記各ゴルフクラブヘッドにおいて、前記第１厚肉部は、バック側に凸の略Ｕ字型に形成することができる。
【０００８】
上記各ゴルフクラブヘッドにおいて、前記ソール部は、前記第１薄肉部のフェース側に配置される第２厚肉部をさらに備えることができる。
【０００９】
上記各ゴルフクラブヘッドにおいて、前記ソール部は、前記第１厚肉部のバック側に、当該第１厚肉部を囲むように配置され、当該第１厚肉部よりも肉厚が小さい第２薄肉部をさらに備えることができる。
【００１０】
上記各ゴルフクラブヘッドは、ヘッド本体と、フェース用部材とを組立てることで構成することができ、前記ヘッド本体は、前記クラウン部及び前記ソール部を備え、当該クラウン部及びソール部で囲まれた開口を有し、前記フェース用部材は、ボールを打撃する板状の前記フェース部と、当該フェース部の周縁から延び、前記開口の端面と接合される周縁部と、を有するカップ状に形成することができる。
【発明の効果】
【００１１】
本発明に係るゴルフクラブヘッドによれば、肉厚の調整により左右の慣性モーメントを向上することができる。
【図面の簡単な説明】
【００１２】
【図１】本実施形態に係るゴルフクラブヘッドの基準状態の斜視図である。
【図２】図１の平面図である。
【図３】フェース部の境界を説明する図である。
【図４】図１に示すゴルフクラブヘッドの組立を説明する斜視図である。
【図５】図２のＡ−Ａ線断面図である。
【図６】図１のゴルフクラブヘッドのソール部の内壁面を投影した平面図である。
【発明を実施するための形態】
【００１３】
以下、本発明に係るゴルフクラブヘッドの一実施形態について、図面を参照しつつ説明する。図１は本実施形態に係るゴルフクラブヘッドの基準状態の斜視図、図２は図１の平面図である。なお、ゴルフクラブヘッドの基準状態については、後述する。
【００１４】
＜１．ゴルフクラブヘッドの概要＞
図１に示すように、本実施形態に係るゴルフクラブヘッド（以下、単に「ヘッド」ということがある）は、中空構造であり、フェース部１、クラウン部２、ソール部３、サイド部４、及びホーゼル部５によって壁面が形成されたウッド型のゴルフクラブヘッドである。
【００１５】
フェース部１は、ボールを打撃する面であり、クラウン部２はフェース部１と隣接し、ヘッドの上面を構成する。ソール部３は、ヘッドの底面を構成し、フェース部１及びサイド部４と隣接する。そして、ソール部３には、ウエイト部材（図示省略）が配置されている。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００１６】
ここで、上述した基準状態について説明する。まず、図２に示すように、上記中心軸線Ｚが水平面Ｈ（設置面、図５参照）に対して垂直な平面Ｐ１に含まれ、且つ所定のライ角及びリアルロフト角で水平面Ｈ上にヘッドが載置された状態を基準状態と規定する。そして、上記平面Ｐ１を基準垂直面Ｐ１と称する。また、図２に示すように、上記基準垂直面Ｐ１と上記水平面Ｈとの交線の方向をトウ−ヒール方向と称し、このトウ−ヒール方向に対して垂直であり且つ上記水平面Ｈに対して平行な方向をフェース−バック方向と称することとする。また、図２のＡ−Ａ線は、フェースのセンターを通過する垂直面（上述した水平面Ｈに垂直な面、以下同じ）に沿う断面である。なお、なお、フェースのセンターとは、フェース部１内の点であり、その点からフェース部１の最もトウ側の位置までの水平長さと、その点からフェース部１の最もヒール側の位置までの水平長さとが等しく、かつ、その点から、フェース部１の最も上側の位置までの上下方向長さと、その点から最もフェース部１の下側の位置までの上下方向長さとが等しくなる点である。
【００１７】
本実施形態において、クラウン部２とサイド部４との境界は次のように定義することができる。すなわち、クラウン部２とサイド部４との間に稜線が形成されている場合には、これが境界となる。これに対して、明確な稜線が形成されていない場合には、ヘッドを基準状態に設置し、これをヘッドの重心の真上から見たときの輪郭が境界となる。また、クラウン部２とフェース部１との境界についても、同様であり、稜線が形成されている場合には、これが境界となる。一方、明確な稜線が形成されていない場合には、例えば、図３（ａ）に示されるように、ヘッド重心ＧとスイートスポットＳＳとを結ぶ直線Ｎを含む各断面Ｅ１、Ｅ２、Ｅ３…において、図３（ｂ）に示されるように、フェース外面輪郭線Ｌｆの曲率半径ｒがスイートスポット側からフェース外側に向かって初めて２００mmとなる位置Ｐｅがフェース部１の周縁（境界）として定義される。なお、スイートスポットＳＳとは、ヘッド重心Ｇを通るフェース面の法線（直線Ｎ）とこのフェース面との交点である。
【００１８】
また、本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部を有さなかったり、サイド部４が明確に判別できずソール部に含まれており、ソール部３がクラウン部２と直接連結されているような場合には、ソール部３とクラウン部２との間の稜線が、両者の境界となる。また、明確な稜線が形成されていない場合には、ヘッドを基準状態に設置し、これをヘッドの重心の真上から見たときの輪郭が境界となる。なお、上記のようにサイド部が明確に判断できない場合も考慮して、本発明に係る「ソール部」は、サイド部を含むものとする。
【００１９】
このゴルフクラブヘッドの体積は、例えば、９０ｃｍ3以上であることが好ましく、１００ｃｍ3以上であることがさらに好ましい。このような体積を有するヘッドは、構えた際の安心感が増し、かつ、スイートエリア及び慣性モーメントを増大させるのに役立つ。なお、ヘッド体積の上限は特に定めないが、実用上、例えば２００ｃｍ3以下が望ましく、またＲ＆ＡやＵＳＧＡのルール規制に従う場合には４６０ｃｍ3以下が望ましい。
【００２０】
また、ヘッドは、例えば、比重がほぼ７．７〜７．８程度のマレージングで形成することができる。また、マレージング以外にも、例えばステンレス鋼、チタン合金、アルミ合金、マグネシウム合金、またはアモルファス合金などの中から１種または２種以上を用いて形成することもできる。
【００２１】
＜２．ゴルフクラブヘッドの組立構造＞
本実施形態に係るヘッドは、図４に示すように、クラウン部２、ソール部３、及びサイド部４を有するヘッド本体１０と、フェース部１及びその周縁から延びる周縁部１２を有するカップ状に形成されたフェース用部材２０と、を組み立てることで構成される。このヘッド本体１０は、クラウン部２、ソール部３、及びサイド部４で囲まれた開口を有し、この開口６１を塞ぐようにフェース用部材２０が取り付けられる。すなわち、フェース用部材２０の周縁部１２の端面が、開口６１の端面と突き合わされ、これらが、後述するように溶接によって接合される。そして、フェース用部材２０は、ヘッド本体１０の開口に取付けられることで、ヘッド本体１０と一体化され、これによって、フェース用部材２０の周縁部１２は、クラウン部２、ソール部３、及びサイド部４の一部として機能する。したがって、フェース用部材２０の周縁部１２がヘッド本体１０に取付けられることで一体的に形成される面が、クラウン部２、ソール部３、及びサイド部４を構成する。そのため、厳密には、ヘッド本体１０の各部は、これらの一部ではあるが、以下では、これを区別することなく、ヘッド本体１０の各部も、クラウン部２、ソール部３、及びサイド部４と称することがある。
【００２２】
＜３．フェース用部材の構造＞
次に、図５を参照しつつ、フェース用部材２０の周縁部１２について説明する。図５は、上述した図２のＡ−Ａ線断面図である。上記のように、フェース用部材２０は、フェース部１及びその周縁から延びる周縁部１２を有するカップ状に形成されている。そして、周縁部１２のうち、ヘッド本体１０のクラウン部２に接合される周縁部の幅Ｋ１、つまりフェース部１からの突出長さは、３〜８ｍｍであることが好ましく、４〜７ｍｍであることがさらに好ましい。一方、周縁部のうち、ヘッド本体１０のソール部３に接合される周縁部の幅Ｋ２は、８ｍｍより大きく１５ｍｍ以下であることが好ましく、９〜１２ｍｍであることがさらに好ましい。以下では、周縁部１２のうち、クラウン部２に接合される部分を第１周縁領域１２１、ソール部３に接合される部分を第２周縁領域１２２と称することとする。また、第１周縁領域１２１及び第２周縁領域１２２の幅Ｋ１，Ｋ２は、上述したフェースのセンターを通過する垂直面で切断した場合のフェース−バック方向の長さで測定することとする。
【００２３】
上記のように、本実施形態では、第２周縁領域１２２の幅Ｋ２が、第１周縁領域１２１の幅Ｋ１よりも大きいのであるが、特に、１．６倍より大きいことが好ましく、１．８倍以上であることがさらに好ましい。
【００２４】
＜５．ソール部の構造＞
続いて、図６も参照しつつ、ソール部３について説明する。図６は、ソール部の内壁面を透過した平面図である。図５及び図６に示すように、ソール部３は、フェース用部材２０の周縁部１２と接合する接合部３１と、そのバック側に配置される先端厚肉部（第２厚肉部）３２と、この先端厚肉部３２のバック側に配置される中央薄肉部（第１薄肉部）３３と、を備えている。また、ソール部３には、先端厚肉部３２と、中央薄肉部３３とを囲むように配置された周縁厚肉部（第１厚肉部）３４が設けられ、さらにこの周縁厚肉部３４を囲むように周縁薄肉部（第２薄肉部）３５が配置されている。また、周縁厚肉部３４上には、上述したウエイト部材を配置する凹部３６が配置されている。
【００２５】
接合部３１の肉厚は、フェース用部材２０の周縁部１２の端面の肉厚と概ね同じになっており、例えば、０．７〜１．５ｍｍとすることができる。この点は、サイド部４及びクラウン部２も同じである。そして、接合部３１のフェース−バック方向の幅Ｙは、１０ｍｍ以下であることが好ましく、５ｍｍ以下であることがさらに好ましい。これは、接合部の長さＹが長すぎると、先端厚肉部３２がよりバック側に配置されてしまい、重心がバック側にずれるおそれがあることによる。特に、重心がバック側にずれると、ＳＳ（スィート・スポット）高さが高くなってしまい、ボールの打ち出し角度が低くなってしまう。反対に、接合部の長さＹが短すぎると溶接が困難となるため、幅Ｙは２．５ｍｍ以上が好ましい。
【００２６】
先端厚肉部３２は、接合部３１よりも肉厚が大きく、断面矩形状に形成されており、ソール部３のトゥ−ヒール方向に延びるように形成されている。また、この先端厚肉部３２には、ソール部３に投影されるヘッドの重心Ｇが位置する。そして、先端厚肉部３２のソール部３の下面からの高さＦ１は、２．５〜８．０ｍｍであることが好ましく、３．０〜８．０ｍｍであることがさらに好ましい。また、先端厚肉部３２の接合部３１の端部を起点とする幅Ｆ２は、１０〜３０ｍｍであることが好ましく、１５〜２５ｍｍであることがさらに好ましい。このときの幅Ｆ２は、最大の長さとし、例えば、先端厚肉部３２の断面形状が台形のときは、下辺の長さとする。また、先端厚肉部３２の幅Ｆ２に対する高さＦ１の割合Ｆ２／Ｆ１比は、例えば、１．２５〜１０．０であることが好ましく、３．０〜８．０であることがさらに好ましい。なお、上記の寸法Ｆ１，Ｆ２，Ｙは、上述したフェースのセンターを通る垂直面で切断した場合の、フェース−バック方向の長さで測定するものとする。
【００２７】
先端厚肉部３２のバック側に配置される中央薄肉部３３は、バック側に凸の略三角形状に形成されている。そして、先端厚肉部３２と中央薄肉部３３とを囲む周縁厚肉部３４は、本実施形態では３つの部分で構成されるが、全体として略Ｕ字型に形成されており、その一部に、上述した凹部３６が配置されている。より詳細に説明すると、周縁厚肉部３４は、全体として、先端厚肉部３２のトゥ側から、先端厚肉部３２及び中央薄肉部３３のトゥ側の縁部に沿ってバック側に延び、中央薄肉部３３のバック側の後端部を介して中央薄肉部３３及び先端厚肉部３２のソール側の縁部に沿ってフェース側に延びている。すなわち、両端部がフェース部１付近にある略Ｕ字型に形成されており、概ねバック側にいくにしたがって幅が広くなるように形成されている。そして、周縁厚肉部３４は、凹部３６によって分断されている。さらに、周縁厚肉部３４のバック側には、この周縁厚肉部３４を囲むように略Ｕ字型の周縁薄肉部３５が配置されている。
【００２８】
周縁厚肉部３４は、先端厚肉部３２（上述したＦ１）よりは肉厚が小さいが、中央薄肉部３３よりは肉厚が大きくなっている。例えば、中央薄肉部３３の肉厚は、０．４〜０．８ｍｍとすることができる。一方、周縁厚肉部３４の肉厚は、１．０〜６．０ｍｍとすることができる。但し、３つの部分が同じ肉厚でなくてもよく、少なくとも中央薄肉部３３よりも肉厚が大きければよい。また、凹部３６の底面の肉厚も薄肉部３３よりも大きくなっており、例えば、０．８〜３．０ｍｍとすることができる。さらに、周縁薄肉部３５の肉厚は、中央薄肉部３３と同程度の肉厚であり、周縁厚肉部３４よりも肉厚が小さくなっている。
【００２９】
＜６．製造方法＞
上記のように構成されたゴルフクラブヘッドは、種々の方法で作製することができるが、例えば、次のように製造することができる。まず、ヘッド本体１０は、例えば、公知のロストワックス精密鋳造法などの鋳造によって製造することができる。一方、フェース用部材２０は、プレス加工により、製造することができる。そして、ヘッド本体１０と、フェース用部材２０とは、溶接により接合される。その後、塗装などを行うことで、ゴルフクラブヘッドが完成する。
【００３０】
＜７．特徴＞
以上の実施形態によれば、次の効果を得ることができる。
【００３１】
(1) 中央薄肉部３３を囲むように周縁厚肉部３４が形成されているため、ヘッドの左右の慣性モーメントを向上することができる。そのため、トゥ−ヒール方向でボールがずれて打撃された場合でも、打ち出し条件、飛距離、方向性のバラツキを小さくすることができる。特に、重心が先頭厚肉部３２上にあるため、周縁厚肉部３４は、重心から遠く離れた位置にあり、これによって、左右の慣性モーメントをさらに向上することができる。また、周縁厚肉部３４は、ヒール側の幅Ｍ１が、トゥ側の幅Ｍ２よりも大きくなっているため、スライスしにくくなる（いわゆるボールの掴まりがよくなる）。
【００３２】
(2) ソール部３には、先頭厚肉部３２と、周縁厚肉部３４が設けられており、肉厚の大きい箇所を２箇所に分けている。そのため、各厚肉部３２，３４の肉厚が大きくなりすぎないようにしている。これにより、重心をさらに低くすることができる。
【００３３】
(3) 周縁厚肉部３４の周囲に、肉厚の小さく周縁薄肉部３５が設けられている。周縁厚肉部３４は、中央薄肉部３３や先端厚肉部３２よりも高い位置にあるため、このような高い位置にある箇所を薄肉にすることで、さらに低重心化を図ることができる。
【００３４】
(4) フェース用部材２０の周縁部１２について、第２周縁領域１２２の幅Ｋ２が、第１周縁領域１２１の幅Ｋ１よりも大きく、１．６倍より大きくなっている。そのため、フェース部１の下部における反発性能を高めることができる。これにより、地面に直接配置されたボールを打撃するような場合にも飛距離を伸ばすことができる。
【００３５】
(5) 上記のように、第２周縁領域１２２の幅Ｋ２を長くすると、ソール部３の先端厚肉部３２がバック側に移動し、これに伴って、ＳＳ高さが高くなるおそれがある。これに対して、本実施形態では、ソール部３の接合部３１の長さＹを１０ｍｍ以下とし、さらに先端厚肉部３２の寸法を上記のように規定した。特に、先端厚肉部３２の高さＦ１と、長さＦ２とにおいて割合Ｆ２／Ｆ１が、１．２５〜１０．０とすると、ヘッドの重心が高くなるのを抑制できるとともに、重心がバック側に移動するのも抑制することができる。その結果、ＳＳ高さが高くなるのを抑制することができる。
【００３６】
＜８．変形例＞
以上、本発明の一実施形態について説明したが、本発明は上記実施形態に限定されるものではなく、その趣旨を逸脱しない限りにおいて、種々の変更が可能である。なお、以下の変形例は適宜組合わせ可能である。
【００３７】
＜８．１＞
上記実施形態では、ソール部３に、先端厚肉部３２及び周縁薄肉部３５を設けているが、少なくとも中央薄肉部３３とその周囲を囲む周縁厚肉部３４が設けられていればよい。また、ウエイト部材も必須ではなく、その場合には、凹部３６も必須ではなく、必要に応じて設ければよい。また、周縁厚肉部３４は、種々の態様が可能であり、上記実施形態のように、複数の部分で構成してもよいし、１つで構成してもよい。また、連続して中央薄肉部３３の周囲を囲まなくてもよく、断続的に囲むようにしてもよい。さらに、凹部３１を設ける場合には、凹部３１の肉厚が中央薄肉部３４よりも大きければ、周縁厚肉部３５と凹部３１を合わせて、中央薄肉部３４を囲んでもよい。
【００３８】
＜８．２＞
周縁厚肉部３４の形状は、全体として、中央薄肉部３３を囲むような形状であればよく、略Ｕ字型のほか、バック側に鋭利なＶ字型、円弧状、折線状など、種々の形状にすることができる。但し、周縁厚肉部３４を重心よりも遠くに配置するためには、略Ｕ字型が好ましい。また、周縁厚肉部３４の幅も適宜変更可能であり、上記実施形態のように、トゥ側よりもヒール側の幅を大きくすることのほか、例えば、周縁厚肉部３４の幅を全体として概ね一定とすることもできるし、少なくとも一部をバック側にいくにしたがって幅を広くしてもよい。
【００３９】
＜８．３＞
上記実施形態では、ソール部３に、第２周縁領域１２２と接合する接合部３１を設けているが、ヘッド本体１０とフェース用部材２０の周縁部１２とを溶接により接合する場合には、周縁部１２と接合部３１とを概ね同じ肉厚にすることが好ましい。一方、接合部３１を設けず、厚肉部３２と第２周縁領域１２２とを直接接合することもできる。このように接合部３１を設けない場合には、ろう付け、接着剤、または拡散接合などを用いてフェース用部材２０の周縁部１２と、ヘッド本体１０の開口６１の端面とを接合することができる。
【００４０】
＜８．４＞
ソール部３の先頭厚肉部３２の形状は、特には限定されず、上記のような断面が台形のみならず、長方形状など、種々の形態にすることができる。
【００４１】
＜８．５＞
上記実施形態では、例えば、図５に示すように、フェース用部材２０の周縁部１２の肉厚と、ヘッド本体１０の開口の端面の肉厚を同じにしているが、これを変更することもできる。例えば、周縁部１２の肉厚を、開口の端面の肉厚よりも大きくすることができる。これにより、例えば、ヘッド本体１０のクラウン部２の肉厚が小さくなるため、反発性能を向上することができる。
【００４２】
＜８．６＞
上記実施形態では、ソール部３に、第２周縁領域１２２と接合する接合部３１を設けているが、ヘッド本体１０とフェース用部材２０の周縁部１２とを溶接により接合する場合には、周縁部１２と接合部３１とを概ね同じ肉厚にすることが好ましい。一方、接合部３１を設けず、厚肉部３２と第２周縁領域１２２とを直接接合することもできる。このように接合部３１を設けない場合には、ろう付け、接着剤、または拡散接合などを用いてフェース用部材２０の周縁部１２と、ヘッド本体１０の開口６１の端面とを接合することができる。
【００４３】
＜８．７＞
また、第１厚肉部３４、第１薄肉部３３、及び重心Ｇの位置関係は、例えば、次のようにすることができる。すなわち、ソール部３に投影された重心Ｇの位置と第１厚肉部３４との距離（最も近い距離）が、ソール部３に投影された重心Ｇの位置と第１薄肉部３３との距離（最も近い距離）よりも長いことが好ましい。これにより、左右の慣性モーメントをさらに向上することができる。また、上記実施形態では、第１薄肉部３３は、第２厚肉部３２のバック側に配置されているが、さらに重心Ｇのバック側に配置させることが好ましい。これにより、重心Ｇをフェース寄りに位置させることができる。
【００４４】
＜８．８＞
上記実施形態では、カップフェース構造を採用しているが、フェース用部材２０の周縁部１２は、上記のように幅を異なるようにするほか、幅が同じであってもよい。また、カップフェース構造ではなく、例えば、ヘッド本体の開口に板状のフェース部を嵌め込む構造であってもよい。
【００４５】
＜８．９＞
本発明は、ドライバー、フェアウェイウッド、ユーティリティといったゴルフクラブヘッドに適用することができる。
【符号の説明】
【００４６】
１  フェース部
２  クラウン部
３  ソール部
３２  先端厚肉部（第２厚肉部）
３３  中央薄肉部（第１薄肉部）
３４  周縁厚肉部（第１厚肉部）
３５  周縁薄肉部（第２薄肉部）
【要約】
【課題】ソール部の肉厚の調整により、左右の慣性モーメントを向上することができるゴルフクラブヘッドを提供する。
【解決手段】本発明に係るゴルフクラブヘッドは、クラウン部と、ソール部と、フェース部と、を備え、ソール部は、第１薄肉部と、第１薄肉部の周囲を囲むように、第１薄肉部のトゥ側からバック側を介して当該第１厚肉部のヒール側まで延び、第１薄肉部よりも肉厚が大きい、第１厚肉部と、を備えている。
【選択図】図６【図１】
0005844934.tif 000002
【図２】
0005844934.tif 000003
【図３】
0005844934.tif 000004
【図４】
0005844934.tif 000005
【図５】
0005844934.tif 000006
【図６】
0005844934.tif 000007